【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  処理の対象となるドキュメントデータを受け入れて、当該処理対象となったドキュメントデータに含まれる色のうち、人間の目の色覚障碍に関連して定義された少なくとも一つの混同色構報に基づいて、互いに混同する色のセットを混同色セットとして検索する検索手段と、各混同色セットに含まれる色のうち、少なくとも一つを処理対象として決定する処理色決定手段と、
前記ドキュメントデータ上で、前記処理色決定手段により処理対象として決定された色が用いられている部分について、所定の処理を行う手段と、
を含み、
前記処理色決定手段は、前記各混同色セットのいずれかに含まれる各色を処理対象とするか否かのパターンのうち一つを選択し、当該選択したパターンに基づいて処理対象となる色を決定することを特徴とするドキュメント処理装置。
【請求項２】  請求項１に記載のドキュメント処理装置において、
前記処理色決定手段は、前記各混同色セットのいずれかに含まれる各色を処理対象とするか否かのパターンのうち、当該各色のすべてを処理対象とするパターンを選択するドキュメント処理装置。
【請求項３】  請求項１に記載のドキュメント処理装置において、
前記処理色決定手段は、前記各混同色セットのいずれかに含まれる各色を処理対象とするか否かのパターンのうち、処理対象とする色の数が、前記各色の数より少なくなるパターンを選択するドキュメント処理装置。
【請求項４】  請求項１に記載のドキュメント処理装置において、
前記処理色決定手段は、前記各混同色セットのいずれかに含まれる各色を処理対象とするか否かのパターンのうち、処理対象とする色の数が、最小となるパターンを選択するドキュメント処理装置。
【請求項５】  請求項１から４のいずれか一項に記載のドキュメント処理装置において、
前記所定の処理を行う手段は、前記処理色決定手段により処理対象として決定された色が用いられている部分のうち、予め定めた特定色以外の部分についてのみ、所定の処理を行うことを特徴とするドキュメント処理装置。
【請求項６】  請求項１から４のいずれか一項に記載のドキュメント処理装置において、
前記処理色決定手段は、予め定めた特定色については処理対象としないよう制御することを特徴とするドキュメント処理装置。
【請求項７】  処理の対象となるドキュメントデータを受け入れて、当該処理対象となったドキュメントデータに含まれる色のうち、人間の目の色覚障碍に関連して定義された少なくとも一つの混同色情報に基づいて、互いに混同する色のセットを混同色セットとして検索する検索手段と、
前記処理対象となったドキュメントデータ上で、同じ混同色セットに含まれる色同士の位置状態に基づき、処理対象となる色を決定する処理色決定手段と、
前記ドキュメントデータ上で、前記処理色決定手段により処理対象として決定された色が用いられている部分について、所定の処理を行う手段と、
を含むことを特徴とするドキュメント処理装置。
【請求項８】  処理の対象となるドキュメントデータを受け入れて、当該処理対象となったドキュメントデータに含まれる色のうち、人間の目の色覚障碍に関連して定義された少なくとも一つの混同色情報に基づいて、互いに混同する色のセットを混同色セットとして少なくとも一つ検索する検索手段と、
各混同色セットに含まれる色のうち、を処理対象として決定する処理色決定手段と、
前記ドキュメントデータ上で、前記処理色決定手段により処理対象として決定された色が用いられている部分について、所定の処理を行う手段と、
を含み、
前記処理色決定手段は、共通して２以上の混同色セットに含まれている色がある場合に、当該共通して含まれている色を優先的に処理の対象とすることを特徴とするドキュメント処理装置。
【請求項９】  コンピュータを用いたドキュメント処理方法であって、
処理の対象となるドキュメントデータを受け入れて、当該処理対象となったドキュメントデータに含まれる色のうち、人間の目の色覚障碍に関連して定義された少なくとも一つの混同色情報に基づいて、互いに混同する色のセットを混同色セットとして検索する工程と、
前記処理対象となったドキュメントデータ上で、同じ混同色セットに含まれる色同士の位置状態に基づき、処理対象となる色を決定する処理色決定工程と、
前記ドキュメントデータ上で、前記処理色決定手段により処理対象として決定された色が用いられている部分について、所定の処理を行う工程と、
を含むことを特徴とするドキュメント処理方法。
【請求項１０】  コンピュータを用いたドキュメント処理方法であって、
処理の対象となるドキュメントデータを受け入れて、当該処理対象となったドキュメントデータに含まれる色のうち、人間の目の色覚障碍に関連して定義された少なくとも一つの混同色情報に基づいて、互いに混同する色のセットを混同色セットとして検索する工程と、
各混同色セットに含まれる色のうち、少なくとも一つを処理対象として決定する処理色決定工程と、
前記ドキュメントデータ上で、前記処理色決定手段により処理対象として決定された色が用いられている部分について、所定の処理を行う工程と、
を含み、
前記処理色決定工程では、共通して２以上の混同色セットに含まれている色がある場合に、当該共通して含まれている色を優先的に処理の対象とすることを特徴とするドキュメント処理方法。
【請求項１１】  コンピュータに、
処理の対象となるドキュメントデータを受け入れて、当該処理対象となったドキュメントデータに含まれる色のうち、人問の目の色覚障碍に関連して定義された少なくとも一つの混同色情報に基づいて、互いに混同する色のセットを混同色セットとして検索する手順と、
前記処理対象となったドキュメントデータ上で、同じ混同色セットに含まれる色同士の位置状態に基づき、処理対象となる色を決定する処理色決定手順と、
前記ドキュメントデータ上で、前記処理色決定手段により処理対象として決定された色が用いられている部分について、所定の処理を行う手順と、
を実行させることを特徴とするドキュメント処理プログラム。
【請求項１２】  コンピュータに、
処理の対象となるドキュメントデータを受け入れて、当該処理対象となったドキュメントデータに含まれる色のうち、人間の目の色覚障碍に関連して定義された少なくとも一つの混同色情報に基づいて、互いに混同する色のセットを混同色セットとして検索する手順と、
各混同色セットに含まれる色のうち、少なくとも一つを処理対象として決定する処理色決定手順と、
前記ドキュメントデータ上で、前記処理色決定手段により処理対象として決定された色が用いられている部分について、所定の処理を行う手順と、
を実行させ、
前記処理色決定手順では、共通して２以上の混同色セットに含まれている色がある場合に、当該共通して含まれている色を優先的に処理の対象とするよう前記コンピュータを制御することを特徴とするドキュメント処理プログラム。
【請求項１３】 ドキュメントデータを入力するドキュメント入力手段と、
色覚障碍のタイプを入力する色覚障碍タイプ入力手段と、
前記ドキュメントデータで用いられている色の情報を特定する色情報特定手段と、
前記色情報特定手段によって特定された色情報から、前記色覚障碍のタイプに応じた色覚障碍に関連して互いに混同を生じる色を表していると判断される色情報を検索する検索手段と、
前記検索手段により検出された色覚障碍に関連して互いに混同を生じる色を表していると判断される色情報の少なくとも一つを処理対象として決定する処理色決定手段と
を有することを特徴とするドキュメント処理装置。
【請求項１４】 請求項１３に記載のドキュメント処理装置であって、
前記処理色決定手段は、前記検索手段により検出された、色覚障碍に関連して互いに混同を生じる色を表していると判断される色情報の色の数に基づき、処理対象を決定することを特徴とするドキュメント処理装置。
【請求項１５】 請求項１３に記載のドキュメント処理装置であって、
前記処理色決定手段は、前記検索手段により検出された色覚障碍に関連して互いに混同を生じる色を表していると判断される色情報のうち予め定めた特定色については、処理対象としないことを特徴とするドキュメント処理装置。
【請求項１６】 請求項１３に記載のドキュメント処理装置であって、
前記処理色決定手段は、前記検索手段により検出された色覚障碍に関連して互いに混同を生じる色を表していると判断される色情報のうち予め定めた特定色以外の部分についてのみ、所定の処理を行なうことを特徴とするドキュメント処理装置。
【請求項１７】 請求項１３から１６のいずれか一項に記載のドキュメント処理装置であって、
前記入力される色覚障碍タイプは、Ｐ，Ｄ，Ｔの３種のうち少なくとも一つであることを特徴とするドキュメント処理装置。
【請求項１８】 請求項１３から１７のいずれか一項に記載のドキュメント処理装置であって、
前記色情報特定手段は、互いに塗り分けられている領域ごとに、該領域を特定する領域特定情報と領域の輪郭を表す輪郭特定情報と該領域の内部の色の情報の少なくとも１つにより特定することを特徴とするドキュメント処理装置。